(57)【要約】【課題】バルーンを医療器具に簡単に装着することのできるバルーン装着装置を提供する。【解決手段】バルーン装着装置１００は、内視鏡１０の挿入部１２を挿通可能な挿通孔１０２Ａと、挿通孔１０２Ａの周囲に挿通孔１０２Ａに対して傾斜した複数のガイド孔１０２Ｂとが形成された本体１０２と、リング状に形成され、挿通孔１０２Ａを中心として本体１０２に回動自在に支持されるとともに、その内周面にねじが形成された操作リング部材１０４と、複数のガイド孔１０２Ｂに挿入され、ガイド孔１０２Ｂに沿ってスライド自在に設けられるとともに、操作リング部材１０４の内周面に螺合され、操作リング部材１０４を回動操作することによってその先端部同士の間隔が拡縮される複数の移動部材１０６と、を備える。複数の移動部材１０６は、その先端部同士の間隔を縮めることによって先端部がバルーン６０に挿入可能となり、その先端部同士の間隔を広げることによって先端部同士の間に挿入部１２を挿通可能となる。【選択図】  図３
2009160093.tif 000002
【特許請求の範囲】
【請求項１】
膨縮自在なバルーンに内視鏡などの医療器具を挿入して装着するためのバルーン装着装置において、
前記医療器具が挿通可能な挿通孔と、該挿通孔の周囲に該挿通孔の中心側に傾斜した複数のガイド孔とが形成された本体と、
リング状に形成され、前記挿通孔を中心として前記本体に回動自在に支持されるとともに、その内周面にねじが形成された操作リング部材と、
前記複数のガイド孔に挿入され、該ガイド孔に沿ってスライド自在に設けられるとともに、前記操作リング部材の内周面に螺合され、該操作リング部材を回動操作することによってスライドし、その先端部同士の間隔が拡縮される複数の移動部材と、を備え、
前記複数の移動部材は、その先端部同士の間隔を縮めることによって該先端部が前記バルーンに挿入可能となり、その先端部同士の間隔を広げることによって該先端部同士の間に前記医療器具が挿通可能となることを特徴とするバルーン装着装置。
【請求項２】
前記移動部材の先端部にはロッドが取り付けられることを特徴とする請求項１に記載のバルーン装着装置。
【請求項３】
前記移動部材の先端部には、前記挿通孔を中心とする円弧状の突起が設けられることを特徴とする請求項１に記載のバルーン装着装置。
【請求項４】
前記本体及び前記操作リング部材には把手が取り付けられることを特徴とする請求項１〜３のいずれか１に記載のバルーン装着装置。
【発明の詳細な説明】
【技術分野】
【０００１】
本発明はバルーン装着装置に係り、特に膨縮自在なバルーンを内視鏡などの医療器具に装着するためのバルーン装着装置に関する。
【背景技術】
【０００２】
内視鏡装置では、膨張・収縮するバルーンが様々な用途で用いられている。例えば、小腸や大腸等の深部消化管を観察する内視鏡装置では、内視鏡挿入部や内視鏡挿入補助具（スライディングチューブまたはオーバーチューブ等）に膨縮自在なバルーンが装着され、このバルーンを膨張させることによって内視鏡挿入部や挿入補助具を体内に固定できるようになっている。また、超音波検査装置では、超音波プローブの先端の超音波走査部を囲繞して超音波伝達媒体を充填するために膨縮自在なバルーンが用いられ、超音波内視鏡では、挿入部の先端の超音波トランスデューサを囲繞して超音波伝達媒体を充填するために膨縮自在なバルーンが用いられる。
【０００３】
このようなバルーンは、ゴム等の弾性体によって構成されており、その端部は、自然状態で取付対象物（内視鏡挿入部や挿入補助具など）の外径よりも小径の筒状に形成されている。そして、バルーンを装着する際は、バルーンの端部を拡径しながら取付対象物に被せた後、バルーンの端部の上から糸を巻回したりゴムバンドを外嵌させたりすることによって、バルーンの端部を取付対象物に固定している。
【０００４】
ところで、バルーンの端部を拡径しながら取付対象物に被せる作業は非常に煩わしく、取付作業に手間がかかるという問題がある。そこで、特許文献１では、バルーンを筒体の内周面に吸着して拡径させ、挿入部や挿入補助具を挿入している。この方法によれば、筒体の内周面にバルーンを吸着することによってバルーンの内径を拡げることができるので、挿入部や挿入補助具を簡単に挿通させることができる。また、特許文献２では、治具のガイド部を拡縮径自在に構成し、このガイド部をバルーンの端部に挿入した後、ガイド部に挿入部や挿入補助具を挿入している。この方法によれば、ガイド部に挿入部や挿入補助具を挿入することによって、ガイド部がバルーン端部を拡径するので、挿入部や挿入補助具を容易に挿入することができる。
【特許文献１】特開平５−１５４８７号公報
【特許文献２】特開２００５−１９３０００号公報
【発明の開示】
【発明が解決しようとする課題】
【０００５】
しかしながら、特許文献１は、専用の吸引ポンプ装置を用意しなければならないという問題があり、特許文献２は、治具のガイド部を折り畳んで細径化した後にバルーンの端部に挿入する必要があり、作業性の改善が求められていた。
【０００６】
本発明はこのような事情に鑑みてなされたもので、膨縮自在なバルーンを内視鏡などの医療器具に簡単且つ迅速に装着することのできるバルーン装着装置を提供することを目的とする。
【課題を解決するための手段】
【０００７】
請求項１に記載の発明は前記目的を達成するために、膨縮自在なバルーンに内視鏡などの医療器具を挿入して装着するためのバルーン装着装置において、前記医療器具が挿通可能な挿通孔と、該挿通孔の周囲に該挿通孔の中心側に傾斜した複数のガイド孔とが形成された本体と、リング状に形成され、前記挿通孔を中心として前記本体に回動自在に支持されるとともに、その内周面にねじが形成された操作リング部材と、前記複数のガイド孔に挿入され、該ガイド孔に沿ってスライド自在に設けられるとともに、前記操作リング部材の内周面に螺合され、該操作リング部材を回動操作することによってスライドし、その先端部同士の間隔が拡縮される複数の移動部材と、を備え、前記複数の移動部材は、その先端部同士の間隔を縮めることによって該先端部が前記バルーンに挿入可能となり、その先端部同士の間隔を広げることによって該先端部同士の間に前記医療器具が挿通可能となることを特徴とする。
【０００８】
請求項１の発明によれば、複数の移動部材の先端部同士の間隔を狭めてバルーンに挿入した後、操作リング部材を回動操作して移動部材の先端部同士の間隔を広げることによってバルーンを拡径することができ、さらに、挿通孔に医療器具を挿入することによって、バルーンに挿通させることができる。したがって、本発明によれば、操作リング部材の回転操作だけでバルーンを拡径できるので、バルーンを医療器具に簡単に装着することができる。
【０００９】
請求項２に記載の発明は請求項１の発明において、前記移動部材の先端部にはロッドが取り付けられることを特徴とする。本発明によれば、移動部材の先端部にロッドが取り付けられているので、移動部材の先端部をバルーンに簡単に係合させることができる。
【００１０】
請求項３に記載の発明は請求項１の発明において、前記移動部材の先端部には、前記挿通孔を中心とする円弧状の突起が設けられることを特徴とする。本発明によれば、移動部材の先端部に円弧状の突起が設けられているので、バルーンを拡径した際に略円形に拡径することができ、医療器具をより簡単に挿入することができる。
【００１１】
請求項４に記載の発明は請求項１〜３のいずれか１の発明において、前記本体及び前記操作リング部材には把手が取り付けられることを特徴とする。本発明によれば、本体及び操作リング部材に把手が取り付けられているので、操作リング部材を本体に対して容易に回転させることができ、バルーンの拡径作業をより簡単に行うことができる。
【発明の効果】
【００１２】
本発明によれば、操作リングを回動操作することによってバルーンを拡径させることができるので、バルーンに医療器具を簡単に挿入することができ、バルーンを簡単に医療器具に装着することができる。
【発明を実施するための最良の形態】
【００１３】
以下添付図面に従って本発明に係るバルーン装着装置の好ましい実施の形態について詳述する。
【００１４】
図１は本発明に係るバルーン装着装置で装着されるバルーンを説明するためのものであり、バルーンを使用する内視鏡装置の一例を示すシステム構成図である。図１に示すように内視鏡装置は主として、内視鏡１０、バルーン６０及びバルーン制御装置７０で構成される。
【００１５】
内視鏡１０は、手元操作部１４と、この手元操作部１４に連設され、体内に挿入される挿入部１２とを備える。手元操作部１４には、ユニバーサルケーブル１６が接続され、このユニバーサルケーブル１６の先端にＬＧコネクタ１８が設けられる。ＬＧコネクタ１８は光源装置２０に着脱自在に連結され、これによって挿入部１２の先端に設けた照明光学系（不図示）に照明光が送られる。また、ＬＧコネクタ１８には、ケーブル２２を介して電気コネクタ２４が接続され、この電気コネクタ２４がプロセッサ２６に着脱自在に連結される。
【００１６】
手元操作部１４には、送気・送水ボタン２８、吸引ボタン３０、シャッターボタン３２、及び機能切替ボタン３４が並設されるとともに、一対のアングルノブ３６、３６が設けられる。
【００１７】
挿入部１２は、手元操作部１４側から順に軟性部４０、湾曲部４２、及び先端部４４で構成される。軟性部４０は、螺旋状に巻回された金属板の外周にネットを被せ、その外周を被覆することにより構成されており、十分な可撓性を有している。
【００１８】
湾曲部４２は、手元操作部１４のアングルノブ３６、３６を回動することによって遠隔的に湾曲するように構成される。たとえば、湾曲部４２は、円筒状の複数の節輪をピンによって回動自在に連結するとともに、その節輪の内部に複数本の操作ワイヤを挿通させて前記ピンにガイドさせ、操作ワイヤを押し引き操作することによって、節輪同士が回動して湾曲部４２が湾曲操作されるようになっている。この湾曲部４２を湾曲操作することによって、先端部４４を所望の方向に向けることができる。
【００１９】
図２に示すように、先端部４４の先端面には、観察光学系５２、照明光学系５４、５４、送気・送水ノズル５６、鉗子口５８が設けられる。観察光学系５２の後方にはＣＣＤ（不図示）が配設され、このＣＣＤを支持する基板に信号ケーブル（不図示）が接続される。信号ケーブルは挿入部１２、手元操作部１４、ユニバーサルケーブル１６等に挿通されて電気コネクタ２４まで延設され、プロセッサ２６に接続される。よって、観察光学系５２で取り込まれた観察像がＣＣＤの受光面に結像されて電気信号に変換され、この電気信号が信号ケーブルを介してプロセッサ２６に出力され、映像信号に変換される。これにより、プロセッサ２６に接続されたモニタ５０に観察画像が表示される。
【００２０】
照明光学系５４は、その後方にライトガイド（不図示）の出射端が配設される。ライトガイドは挿入部１２、手元操作部１４、ユニバーサルケーブル１６に挿通されてＬＧコネクタ１８内にその入射端が配設される。したがって、ＬＧコネクタ１８を光源装置２０に連結することによって、光源装置２０から照射された照明光がライトガイドを介して照明光学系５４に伝送され、照明光学系５４から前方に照射される。
【００２１】
先端部４４に設けた送気・送水ノズル５６は、送気・送水ボタン２８によって操作されるバルブ（不図示）に連通され、このバルブがＬＧコネクタ１８に設けた送気・送水コネクタ４８に連通される。送気・送水コネクタ４８には不図示の送気・送水手段が接続され、エア及び水が供給される。したがって、送気・送水ボタン２８を操作することによって、送気・送水ノズル５６からエア又は水が観察光学系に向けて噴射される。
【００２２】
先端部４４に設けた鉗子口５８は、鉗子挿入部４６に連通される。よって、鉗子挿入部４６から鉗子等の処置具を挿入することによって、処置具を鉗子口５８から導出することができる。また、鉗子口５８は、吸引ボタン３０によって操作されるバルブ（不図示）に連通され、このバルブがＬＧコネクタ１８の吸引コネクタ４９に接続される。したがって、吸引コネクタ４９に不図示の吸引手段を接続し、吸引ボタン３０で操作することによって、鉗子口５８から病変部等を吸引することができる。
【００２３】
上記の如く構成された挿入部１２には、バルーン６０が着脱自在に装着される。バルーン６０は、シリコンゴム等の弾性材料から成り、両端部が絞られた略筒状、すなわち小径の端部６０Ａ、６０Ｂと膨出された中央部６０Ｃとから成る筒状に形成される。このバルーン６０は、挿入部１２を挿通させることによって、所定の装着位置に（たとえば先端部４４から湾曲部４２にかけて）配置される。所定の装着位置に配置されたバルーン６０は、その端部６０Ａ、６０Ｂをゴムリング６１、６２で固定することによって、挿入部１２に固定される。本発明のバルーン装着装置は、バルーン６０を挿入部１２（医療器具に相当）に装着するための装置であり、その説明は後述する。
【００２４】
挿入部１２のバルーン装着位置には、供給・吸引口６４が形成されており、この供給・吸引口６４がチューブ（不図示）を介して、手元操作部１４のバルーン送気口３８に連通される。バルーン送気口３８には、図１のチューブ８０が接続され、このチューブ８０を介してバルーン制御装置７０が接続される。バルーン制御装置７０は、バルーン６０にエア等の流体を供給・吸引する装置であり、このバルーン制御装置７０から、流体（たとえばエア）を供給、吸引することによって、バルーン６０にエアを供給、吸引することができる。バルーン６０はエアを供給することによって略球状に膨張し、エアを吸引することによって挿入部１２の外表面に張り付くようになっている。
【００２５】
バルーン制御装置７０は主として、装置本体７２と、リモートコントロール用のハンドスイッチ７４で構成される。装置本体７２の前面には、電源スイッチＳＷ１、停止スイッチＳＷ２、圧力表示部７６が設けられる。圧力表示部７６はバルーン６０の圧力値を表示するパネルであり、バルーン破れ等の異常発生時にはこの圧力表示部７６にエラーコードが表示される。
【００２６】
装置本体７２の前面には、バルーン６０へのエア供給・吸引を行うチューブ８０が接続される。チューブ８０と装置本体７２との接続部分にはバルーン６０が破れた時の体液の逆流を防止するための逆流防止ユニット８２が設けられる。逆流防止ユニット８２は、装置本体７２に着脱自在に装着された中空円盤状のケース（不図示）の内部に気液分離用のフィルタを組み込むことによって構成されており、装置本体７２内に液体が流入することをフィルタによって防止する。
【００２７】
一方、ハンドスイッチ７４には、各種のスイッチが設けられる。たとえば、装置本体７２側の停止スイッチＳＷ２と同様の停止スイッチや、バルーン６０の加圧／減圧を指示するＯＮ／ＯＦＦスイッチ、バルーン６０の圧力を保持するためのポーズスイッチなどが設けられる。このハンドスイッチ７４はコード８４を介して装置本体７２に電気的に接続されている。なお、図１には示してないが、ハンドスイッチ７４には、バルーン６０の送気状態、或いは排気状態を示す表示部が設けられている。
【００２８】
上記の如く構成されたバルーン制御装置７０は、バルーン６０にエアを供給して膨張させるとともに、そのエア圧を一定値に制御してバルーン６０を膨張した状態に保持する。また、バルーン６０からエアを吸引して収縮させるとともに、そのエア圧を一定値に制御してバルーン６０を収縮した状態に保持する。
【００２９】
バルーン制御装置７０は、バルーン専用モニタ８６に接続されており、バルーン６０を膨張、収縮させる際に、バルーン６０の圧力値や膨張・収縮状態をバルーン専用モニタ８６に表示する。なお、バルーン６０の圧力値や膨張・収縮状態は、内視鏡１０の観察画像にスーパーインポーズしてモニタ５０に表示するようにするようにしてもよい。
【００３０】
上記の如く構成された内視鏡装置の操作方法の一例としては、挿入部１２をプッシュ式で挿入していき、必要に応じてバルーン６０を膨張させて挿入部１２を体内（たとえば大腸）に固定する。そして、挿入部１２を引いて体内（たとえば大腸）の管形状を単純化した後、バルーン６０を収縮させて挿入部１２をさらに腸管の深部に挿入する。たとえば、挿入部１２を被検者の肛門から挿入し、挿入部１２の先端がＳ状結腸を過ぎた際にバルーン６０を膨張させて挿入部１２を腸管に固定し、挿入部１２を引いてＳ状結腸を略直線状にする。そして、バルーン６０を収縮させて、挿入部１２の先端を腸管の深部に挿入していく。これにより、挿入部１２を腸管の深部に挿入することができる。なお、上述した内視鏡１０を、バルーン付きの挿入補助具（不図示）とともに、ダブルバルーン式内視鏡装置として使用してもよい。
【００３１】
次に、本発明に係るバルーン装着装置（以下、単に装着装置という）について説明する。本発明に係る装着装置は、上述したバルーン６０を内視鏡１０の挿入部１２に容易に装着するための装置である。バルーン６０の端部６０Ａ、６０Ｂは、自然状態で（すなわち膨張、収縮させない状態で）その内径が挿入部１２の外径よりも小さくなっており、そのままでは挿入部１２を挿通させることができない。そこで、本発明に係る装着装置１００によってバルーン６０の端部６０Ｂを拡径させ、挿入部１２を挿入しやすくする。
【００３２】
図３は、装着装置１００を示す斜視図であり、図４はその分解斜視図である。これらの図に示すように、装着装置１００は主として、本体１０２、操作リング１０４、移動部材１０６で構成される。
【００３３】
本体１０２は、略円筒状に形成されており、その中心線Ｃ上に挿通孔１０２Ａが貫通して形成されている。挿通孔１０２Ａの内径は、挿入部１２の外径より若干大きく形成されており、挿通孔１０２Ａに挿入部１２を容易に挿通できるようになっている。
【００３４】
挿通孔１０２Ａの周囲には、四つのガイド孔１０２Ｂが形成されている。四つのガイド孔１０２Ｂは、中心線Ｃを中心とする円錐面の一部を成す形状に形成され、このガイド孔１０２Ｂに移動部材１０６が挿入される。
【００３５】
移動部材１０６は、円錐面を略四分割した形状に形成される。この移動部材１０６がガイド孔１０２Ｂに挿入されることによって、中心線Ｃに対して斜め方向にスライド自在に取り付けられる。なお、移動部材１０６は本体１０２の下側からガイド孔１０２Ｂに挿入されるとともに、本体１０２の上側に抜けないようにストッパ（不図示）が設けられている。
【００３６】
各移動部材１０６の先端部（図３、図４の上端部）には、ロッド１０８が取り付けられている。ロッド１０８は、中心線Ｃと平行に取り付けられており、各移動部材１０６をガイド孔１０２Ｂに沿ってスライドさせることによって、中心線Ｃ側またはその反対の外周側に平行移動するようになっている。したがって、全ての移動部材１０６を同時に移動させることによって、ロッド１０８同士の間隔を狭めてロッド１０８を中央に集めたり、ロッド１０８同士の間隔を拡げてロッド１０８を外側に拡散させたりすることができる。なお、ロッド１０８を中央側に集めた際には全てのロッド１０８を自然状態のバルーン６０の端部６０Ｂに挿入できる位置関係になり、ロッド１０８を外側に拡散させた際にはロッド１０８同士の間に挿入部１２を挿通できる位置関係になるように設定される。
【００３７】
移動部材１０６には、挿通孔１０２Ａを中心として外周面側に雄ねじが形成されており、この雄ねじによって操作リング１０４に螺合される。
【００３８】
操作リング１０４は、リング状に形成され、本体１０２と同軸状に配置される。また、操作リング１０４は外周面に一周にわたって溝１０４Ｃが形成されており、この溝１０４Ｃに、本体１０２に固定された抑え部材１１０（図７参照）が挿入され、係合されている。これにより、操作リング１０４は、中心線Ｃを中心として本体１０２に回動自在に支持される。
【００３９】
操作リング１０４の内周面１０４Ｂには、ネジが形成されている。この内周面１０４Ｂは、挿通孔１０２Ａよりも外側に配置され、且つ、中心線Ｃを中心とする円錐面状に形成されており、移動部材１０６の雄ねじに螺合される。そして、この操作リング１０４を回転させることによって、全ての移動部材１０６が同時にガイド孔１０２Ｂに沿って移動するようになっている。
【００４０】
本体１０２と操作リング１０４にはそれぞれ把手１１２、１１４が取り付けられている。把手１１２、１１４は、外周面から突出しており、作業者がこれらの把手１１２、１１４を把持することによって、操作リング１０４を本体１０２に対して容易に回転させることができる。把手１１２と把手１１４の位置関係は、特に限定するものではないが、図５に示すように、把手１１２、１１４の間隔が拡がった際にロッド１０８同士の間隔が狭まり、把手１１２、１１４の間隔が狭まった際に（或いは位置が重なった際に）ロッド１０８同士の間隔が拡がるようにするとよい。これにより、ロッド１０８同士の間隔を拡げた状態に維持する操作を作業者が片手で行うことができるので、もう一方の手で挿入部１２を操作することができる。
【００４１】
次に上記の如く構成された装着装置１００の操作方法について図５〜図８に従って説明する。図５は、ロッド１０８同士の間隔を狭めた状態の装着装置１００を示す平面図であり、図６は、図５のロッド１０８同士の間隔を広げた状態の装着装置１００を示す平面図である。また、図７は、図５の装着装置１００の縦断面図であり、図８は、図６の装着装置１００の縦断面図である。
【００４２】
まず、操作リング１０４を操作し、図５、図７に示すように、移動部材１０６を本体１０２のガイド孔１０２Ｂから突出させ、ロッド１０８同士の間隔を狭める。次に図７に示すように、全てのロッド１０８をバルーン６０の端部６０Ｂに挿入する。その際、全てのロッド１０８は中央に集まった状態になので、自然状態のバルーン６０の端部６０Ｂに簡単に挿入することができる。
【００４３】
次に、把手１１２、１１４を把持して操作リング１０４を本体１０２に対して回転させることによって、図６、図８に示すように、移動部材１０６を本体１０２のガイド孔１０２Ｂに没入させる。これにより、ロッド１０８同士の間隔が広がるので、バルーン６０の端部６０Ｂが拡径される。
【００４４】
次に、本体１０２の挿通孔１０２Ａに内視鏡１０の挿入部１２を挿通させる。その際、バルーン６０の端部６０Ｂがロッド１０８によって拡径されているので、挿入部１２をロッド１０８同士の間に挿入することができ、挿入部１２をバルーン６０の端部６０Ｂに簡単に挿通させることができる。バルーン６０の端部６０Ｂに挿通させた挿入部１２は、そのまま押し込むことによって、バルーン６０の端部６０Ａに挿通させることができる。
【００４５】
バルーン６０を挿入部１２の所定の位置に配置した後、バルーン６０の端部６０Ｂからロッド１０８を引き抜く。その際、ロッド１０８がスムーズに引き抜けない場合は、図９に示すように、バルーン６０の端部６０Ｂを端から外側に丸めた後、ロッド１０８を取り外し、バルーン６０の端部６０Ｂを元に戻すとよい。
【００４６】
このように本実施の形態の装着装置１００によれば、操作リング１０４を回転させるだけでバルーン６０の端部６０Ｂを拡径させることができ、さらにその状態で本体１０２の挿通孔１０２Ａに挿入部１２を挿入するだけで、バルーン６０の端部６０Ｂに挿入部１２を挿通させることができる。したがって、本実施の形態によれば、バルーン６０を挿入部１２に容易に装着することができる。
【００４７】
なお、上述した実施形態は、移動部材１０６の先端に別部材から成るロッド１０８を取り付けたが、移動部材１０６とロッド１０８とを樹脂等により一体的に形成してもよい。また、上述した実施形態は、円柱状のロッド１０８を設けたが、移動部材１０６の先端形状はこれに限定するものではなく、たとえば、図１０に示すように挿通孔１０２Ａを中心とする円弧状の突起部１１８を設けてもよい。この場合、突起部１１８同士の間隔を広げることによってバルーン６０の端部６０Ｂを略円形に広げることができ、バルーン６０の端部６０Ｂに挿入部１２をより簡単に挿入することができる。
【００４８】
また、上述した実施形態において、図１１に示すように、移動部材１０６同士の間にバネ等の弾性部材１２０を設けてもよい。このように弾性部材１２０を設けることによって、移動部材１０６が回転方向にずれることを防止することができる。
【００４９】
また、上述した実施形態は、移動部材１０６及びロッド１０８を四個ずつ設けたが、移動部材１０６及びロッド１０８の個数はこれに限定するものではなく、二個以上、好ましくは三個以上であればよい。
【００５０】
さらに、上述した実施形態は、操作リング１０４を手動で回転させるようにしたが、モータ等によって自動で、且つ、回転量を制御して回転させるようにしてもよい。
【００５１】
なお、上述した装着装置１００は、バルーン６０を内視鏡１０の挿入部１２に装着する例で説明したが、バルーン６０を装着する医療器具は内視鏡１０に限定するものではなく、たとえば、オーバーチューブやスライディングチューブなどの挿入補助具にバルーン６０を装着する場合にも本発明の装着ジグを用いることができる。
【００５２】
また、上述した実施形態は、略筒状のバルーン６０を装着する例で説明したが、袋状のバルーンを装着する際にも本発明の装着装置１００を適用することができる。さらに、上述した実施形態は、バルーンを装着する例で説明したが、本発明の装着装置１００は、膨縮自在なリング部材を装着することもできる。たとえば、図２に示したゴムリング６１、６２を拡径させて挿入部１２に装着することもできる。
【図面の簡単な説明】
【００５３】
【図１】バルーンを使用する内視鏡装置のシステム構成図
【図２】内視鏡の挿入部の先端部を示す斜視図
【図３】本発明に係るバルーン装着装置を示す斜視図
【図４】図３のバルーン装着装置を分解した斜視図
【図５】図３のバルーン装着装置を示す平面図
【図６】図５のロッド同士の間隔を広げた状態のバルーン装着装置を示す平面図
【図７】図５のバルーン装着装置の縦断面図
【図８】図６のバルーン装着装置の縦断面図
【図９】ロッドの抜き方の一例を示す断面図
【図１０】図３と異なる形状のロッドを示す斜視図
【図１１】図３と異なる構造のバルーン装着装置を示す斜視図
【符号の説明】
【００５４】
１０…内視鏡、１２…挿入部、６０…バルーン、７０…バルーン制御装置、１００…バルーン装着装置、１０２…本体、１０４…操作リング、１０６…移動部材、１０８…ロッド、１１０…抑え部材、１１２…把手、１１４…把手
【図１】
2009160093.tif 000003
【図２】
2009160093.tif 000004
【図３】
2009160093.tif 000005
【図４】
2009160093.tif 000006
【図５】
2009160093.tif 000007
【図６】
2009160093.tif 000008
【図７】
2009160093.tif 000009
【図８】
2009160093.tif 000010
【図９】
2009160093.tif 000011
【図１０】
2009160093.tif 000012
【図１１】
2009160093.tif 000013